(57)【要約】【課題】  建物全体の冷暖房が好適になされると共に、屋内の換気が好適にでき、環境空間を快適に維持することができる建物の換気システムを提供する。【解決手段】  基礎２、屋根１１および外壁１４の居住区画の外側に沿って断熱ボード１５が介装され、建物１の居室１０に設けられた外気導入口２４を介して外気が導入され、この外気を還流させて建物１内が換気される建物の換気システムにおいて、建物１内と断熱ボード１０との間に内側通気路１７が形成されると共に、居室１０の上部に吸気口２８が形成され、この排気口２８を介して居室１０内の空気を排気ファン２９によって集めて送気ダクト３０で床下空間５に送り、この床下空間５で熱交換させた後、内側通気路１７に沿って上昇させ、屋上排気室１３に設けられた排気ファン２１で屋外に放出させた。【選択図】図１
2005163482.tif 000002
【特許請求の範囲】
【請求項１】
居住区画の外側に断熱材が介装され、建物の居室に設けられた外気導入口を介して外気が導入され、この外気を還流させて建物内が換気される建物の換気システムにおいて、前記建物内と断熱材との間に内側通気路が形成されると共に、前記居室空間の上部に排気口が形成され、この排気口を介して前記居室内の空気を排気ファンによって集めて送気ダクトで床下空間に送り、この床下空間で熱交換させた後、前記内側通気路に沿って上昇させて屋外に放出させたことを特徴とする建物の換気システム。
【請求項２】
前記排気ファンが屋根裏空間に配設されている請求項１に記載の建物の換気システム。
【請求項３】
前記屋根裏空間に吸気ファンが設けられると共に、この吸気ファンに接続され、一端が前記建物の外部に開口され、他端が前記送気ダクトに連結された吸気ダクトが配設され、この吸気ダクトで導入された外気と熱交換した請求項１または２に記載の建物の換気システム。
【請求項４】
前記吸気ダクトは、熱交換性が高くかつ有害物質を放出しない材質で蛇腹状に形成されている請求項３に記載の建物の換気システム。
【請求項５】
前記建物内にエアコンが配設されている請求項１乃至４いずれかに記載の建物の換気システム。
【請求項６】
前記建物の外周側に沿って外壁と屋根の内側に連続して形成され、その下部側の一端は屋外に開通されると共に、上部側の一端は屋上を介して屋外に開通された外側通気路が形成されている請求項１乃至５いずれかに記載の建物の換気システム。
【請求項７】
前記床下空間が、基礎と、この基礎に隣接された熱橋とを備え、送られてきた空気を前記基礎および熱橋によって熱交換した請求項１乃至６いずれかに記載の建物の換気システム。
【発明の詳細な説明】
【技術分野】
【０００１】
本発明は、建物の換気システム、特に、壁体内部に通気空間が形成され、この通気空間を天井裏空間、床下空間等に連通させて居住空間の周りに空気流通路が形成されると共に、この空気流通路内に空気を流通させることにより、外気取得を機械換気方式で行うワンパス方式の建物の換気システムに関するものである。
【背景技術】
【０００２】
住宅等の建物では、室内の冷暖房を高めるため壁体部分を断熱構造としたものが一般的に知られている。この断熱構造は一般的には内壁と外壁との間に断熱材を入れ、屋外の熱影響を受けないようにすると共に、屋内の熱が外部に逃げないように防止している。また、断熱性と共に屋内の気密性を高めた構造の建物では、建物内に空気流通路を設けて新鮮な外気が屋内を流通するようにしたものや、外気を取り入れる際に屋内から排気する空気と熱交換する熱交換器を経由させることにより外気を暖めて建物内に導入するといった方式を採用しているものがある。
【０００３】
これらの空気循環建物の内、温熱環境の改善を試みているものには、外気導入ダクトの一端を建物外に開口させ、集熱スステムや熱交換器を介して外気を床下空間に導入し、床面の開口部や壁内通気路に設けた開口部から各室に供給する。そして、室内に供給された空気は室内を還流した後、排気口からダクトを介して屋外に排出されるように構成されているものがある。
【０００４】
然しながら、このような空気循環建物では、各室のダクトおよび集熱システム等を含めると設備費が莫大となり、また、床下に白蟻防除剤等が散布されていれば有害となるばかりでなく、建材の中に含まれるホルムアルデヒド等の揮発性化学物質が室内に流入して頭痛やめまい、吐き気といった症状を引き起こす、所謂シックハウス症候群の居住者が出現する恐れがある。こうした問題点を解決したものとして、図３に示すような建物の換気システムが知られている。
【０００５】
この建物の換気システムは、建物５１の屋根裏５２に設置された強制排出装置５３での空気の吸い上げにより、各室内５４の空気と各空気流通路６３、６４、６５、および屋根裏５２の屋根裏空間５２ａと一連の空気の流れを発生させるというものである。
【０００６】
具体的には、この建物５１は、外壁５５および間仕切壁５６をパネル工法によって建築され、屋根５７、床５８、および外壁５５の内側に断熱材５９が備えられた高気密性建物である。各室５４の一部に設けられた外気導入用の排気口６０から各室５４内の室内空間５４ａに導入された空気を、各室５４の仕上の床板６１の面に設けられた開口部６２から床通気路６３を介して、外壁通気路６４と間仕切壁通気路６５を通って屋根裏５２の屋根裏空間５２ａに集め、屋根裏５２に設置された強制排出装置５３を介して外部へ排出させるようにしている。これにより、常時各室内および壁内の換気が好適になると共に、結露による土台の腐敗や、室内におけるカビやダニの発生を防止することができる。
【０００７】
さらに、二重床６６内に循環パイプ（図示せず）が配管され、この循環パイプに、季節により温水または冷水を循環させ、循環パイプから放散される暖気または冷気が外壁通気路６４や間仕切壁通気路６５を通る際に各壁から放散される暖気または冷気で各室５４内の冷暖房をしている。これにより、建物内の各室内を均一な温度に保つことができる。
【特許文献１】特開２００２−８８９３９号公報
【発明の開示】
【発明が解決しようとする課題】
【０００８】
こうした従来の建物の換気システムは、屋根裏５２に設置された強制排出装置５３での空気の吸い上げにより空気の流れを発生させるワンパス方式であるため、建材等から放出される有害物質が室５４内に侵入しないという点では好適な室内換気をすることができるが、二重床６６内に循環パイプを配管し、この循環パイプにより熱交換をして各室５４内の冷暖房を行うようにしたものであるから、建物の大きさに比例して工事費や、この循環パイプおよびこの循環パイプに付随する機器等の設備費が嵩むだけでなく、季節によってシステム管理を変更しなければならなく、建物の維持管理コストがかかるという問題があった。
【０００９】
本発明は、こうした従来の問題に鑑みこれを解決するためになされたもので、建物全体の冷暖房が好適になされると共に、屋内の換気が好適にでき、環境空間を快適に維持することができる建物の換気システムを提供することを目的とする。
【課題を解決するための手段】
【００１０】
係る目的を達成するために、本発明のうち請求項１に記載の発明は、居住区画の外側に断熱材が介装され、建物の居室に設けられた外気導入口を介して外気が導入され、この外気を還流させて建物内が換気される建物の換気システムにおいて、前記建物内と断熱材との間に内側通気路が形成されると共に、前記居室空間の上部に排気口が形成され、この排気口を介して前記居室内の空気を排気ファンによって集めて送気ダクトで床下空間に送り、この床下空間で熱交換させた後、前記内側通気路に沿って上昇させて屋外に放出させた構成を採用した。
【００１１】
このように、建物内と断熱材との間に内側通気路が形成されると共に、居室の上部に排気口が形成され、この排気口を介して居室内の空気を排気ファンによって集めて送気ダクトで床下空間に送り、この床下空間で熱交換させた後、内側通気路に沿って上昇させて屋外に放出させたので、排気ファンの空気の吸い上げにより建物内に一連の空気の流れを発生させることができるワンパス方式の換気システムを構成することができ、建材等から放出される有害物質が室内に侵入しない建物内の換気が好適に行われると共に、結露による土台の腐敗や、居室内におけるカビやダニの発生を防止することができる。さらに低コストかつ効率的で均一な冷暖房がなされ、環境空間を快適に維持することができる建物の換気システムを提供することができる。
【００１２】
好ましくは、請求項２に記載の発明のように、前記排気ファンが屋根裏空間に配設されていれば、居室の上部に溜まった暖気を効果的に排気口を経由して排気ファンで吸い上げることができ、建物内の換気を好適に行うことができる。
【００１３】
また、請求項３に記載の発明は、前記屋根裏空間に吸気ファンが設けられると共に、この吸気ファンに接続され、一端が前記建物の外部に開口され、他端が前記送気ダクトに連結された吸気ダクトが配設され、この吸気ダクトで導入される温調された外気と熱交換するようにしたので、新たな集熱面等を設けることなく低コストで蓄熱効果を上げると共に、地熱交換の補助をすることができる。
【００１４】
好ましくは、請求項４に記載の発明のように、前記吸気ダクトは、熱伝導率が高くかつ有害物質を放出しない材質で蛇腹状に形成されていれば、小スペースで効率的に熱交換がなされる。
【００１５】
また、請求項５に記載の発明のように、前記建物内にエアコンが配設されていれば、建物内の除湿をはじめ効果的に熱交換型温調システムの補助をすることができる。
【００１６】
また、請求項６に記載の発明は、前記建物の外周側に沿って外壁と屋根の内側に連続して形成され、その下部側の一端は屋外に開通されると共に、上部側の一端は屋上を介して屋外に開通された外側通気路が形成されているので、外側通気路の下部側から進入した外気がこの外側通気路に沿って上昇して屋上から排出されるという定常的な空気の流れが生じ、外壁支持部の換気が良好になり外壁のずり落ち等を防止して耐久性を向上させると共に、この外側通気路がクッションの役割をなして好適な断熱効果を発揮する。
【００１７】
また、請求項７に記載の発明は、前記床下空間が、基礎と、この基礎に隣接された熱橋とを備え、送られてきた空気を前記基礎および熱橋によって熱交換したので、工事費や設備費が嵩むことがなく、また季節によってシステム管理を変更することもなく、建物の維持管理を低コストに抑え、かつ有効な蓄熱システムを提供することができる。
【発明の効果】
【００１８】
本発明の建物の換気システムは、居住区画の外側に断熱材が介装され、建物の居室に設けられた外気導入口を介して外気が導入され、この外気を還流させて建物内が換気される建物の換気システムにおいて、前記建物内と断熱材との間に内側通気路が形成されると共に、前記居室空間の上部に排気口が形成され、この排気口を介して前記居室内の空気を前記屋根裏空間に設けられた排気ファンによって集めて送気ダクトで床下空間に送り、この床下空間で熱交換させた後、前記内側通気路に沿って上昇させて屋外に放出させたので、排気ファンの空気の吸い上げにより建物内に一連の空気の流れを発生させることができるワンパス方式の換気システムを構成することができ、建材等から放出される有害物質が室内に侵入しない建物内の換気が好適に行われると共に、結露による土台の腐敗や、居室内におけるカビやダニの発生を防止することができる。また、低コストかつ効率的で均一な冷暖房がなされ、環境空間を快適に維持することができる建物の換気システムを提供することができる。
【発明を実施するための最良の形態】
【００１９】
居住区画の外側に断熱材が介装され、建物の居室に設けられた外気導入口を介して外気が導入され、この外気を還流させて建物内が換気される建物の換気システムにおいて、前記建物内と断熱材との間に内側通気路が形成されると共に、前記居室空間の上部に排気口が形成され、この排気口を介して前記居室内の空気を排気ファンによって集めて送気ダクトで床下空間に送り、この床下空間で熱交換させた後、前記内側通気路に沿って上昇させて屋外に放出させた。
【実施例】
【００２０】
以下、本発明の実施の形態を図面に基いて詳細に説明する。
図１は、本発明に係る建物の換気システムの一実施形態を示す断面図、図２は、図１の建物の屋根裏空間を示す平面図である。
【００２１】
この建物１は、コンクリート製の基礎２と、この基礎２に接続された熱橋３と、これらの上に設けられた建物本体４とからなる。基礎２は換気口等を設けずに閉塞された状態で形成され、床下空間５の気密性が確保されている。また、基礎２の外側には後述する断熱材１５が延設され、床下空間５での断熱性が好適に得られるようになっている。
【００２２】
建物本体４内には間仕切壁６、内壁７、床８および天井９等により区分された複数の居室１０が形成されている。また、これら各居室１０と屋根１１と間には屋根裏空間１２が形成され、その上の棟部には上部排気室１３が設けられている。床８、屋根１１および外壁１４の内側には所定の形態からなる断熱材１５が介装され、高気密性の建物１を構成している。この断熱材１５は、発泡ポリスチレン（ＥＰＳ）等の発泡プラスチックからなる断熱ボードで構成されている。なお、こうした断熱材１５以外にもグラスウール等からなる断熱材を充填させても良い。また、基礎用断熱材として防蟻剤入りの断熱材が使用され、さらに地面からの熱が床下に回り込むのを防止するためにスカート断熱を基礎周りに適用しても良い。
【００２３】
建物本体４を構成する壁の内部には、外側通気路１６と内側通気路１７が形成されている。外側通気路１６は、建物本体４の外周側に沿って外壁１４と屋根１１の内側に連続して形成され、その下部側の一端は屋外に開通されると共に、上部側の一端は屋上を介して屋外に開通されている。なお、上部側は屋上だけでなく軒天にも開口させても良い。したがって、図中黒矢印で示すように外側通気路１６の下部側から進入した外気はこの外側通気路１６に沿って上昇して屋上あるいは屋上と軒天から排出される。外側通気路１６では定常的にこのような空気の流れが生じ、外壁支持部の換気が良好になり外壁のずり落ち等を防止して耐久性を向上させると共に、この外側通気路１６がクッションの役割をなして好適な断熱効果を発揮する。
【００２４】
一方、内側通気路１７は、内壁通気路１８と床通気路１９および屋根裏通気路２０とからなっている。内壁通気路１８は、建物本体４の内周側に沿って断熱材１５と内壁７間に連続して形成され、その下部側の一端は床下空間５に開通されると共に、上部側の一端は屋根裏通気路２０を介して上部排気室１３に開通されている。この上部排気室１３には床下空間５を経由してきた空気を吸い込み、これを屋外に放出するための排気ファン２１が設けられている。なお、本実施形態では、屋根断熱を例示したが、これに限らず、天井に断熱材を介装し、天井断熱として屋根裏空間をそのまま上部排気室としても良い。
【００２５】
ここで、最上階を除く各梁２２および土台２６には横方向にそれぞれ切欠き２２ａ、２６ａが形成されている。これにより、一階の内側通気路１７を上昇してきた空気は床通気路１９を経由して二階の内側通気路１７へと流れると共に、二階の床８は密閉されない構造となるため、一階への騒音の響きが緩和される。また、落とし根太に合板張りで一体化されているため強度的にも有利である。なお、最上階の梁２３には縦方向の切欠き２３ａが形成され、二階の内壁通気路１８を通過してきた空気は屋根裏通気路２０に流れ、上部排気室１３の排気ファン２１で放出される。
【００２６】
なお、本実施形態では、内側通気路１７が内壁通気路１８と床通気路１９および屋根裏通気路２０で構成されているものを例示したが、さらに、間仕切壁６の内部に間仕切壁通気路（図示せず）を設け、この間仕切壁通気路を経由させて床下空間５から上昇してきた空気を屋根裏通気路２０に流すようにしても良い。これにより、各居室１０の温度を一層均一に維持することができる。
【００２７】
各居室１０には外気導入口２４が形成されている。この外気導入口２４から導入された外気は、各居室１０に形成された壁開口部２５を介して各居室１０を通過した後、最終的に二階の天井９に形成された排気口２８を介して屋根裏空間１２に集められる。ここで、壁開口部２５とは、戸のアンダーカットやガラリ、あるいは引戸等を指し、排気口２８は居室１０に限らず図示しない廊下や階段であっても良い。また、排気口２８は外気導入口２４に対向する位置に配設されるのが有効である。なお、外気導入口２４は、実施例では居室１０における内壁７の略中央に設けられているが、天井９または床８に近接して設けても良い。また、一箇所のみでなく複数箇所に設けても良く、所望の換気流量に応じてその開口面積等が適宜決定される。
【００２８】
図２に示すように、屋根裏空間１２には排気ファン２９が設けられ、この排気ファン２９での空気の吸い上げにより、各居室１０内と屋根裏空間１２内とに一連の空気の流れを発生させ、建物本体４内の換気が好適に行われると共に、結露による土台の腐敗や、居室１０内におけるカビやダニの発生を防止することができる。このように、居室１０の上部に溜まった暖気は効果的に排気口２８を経由して排気ファン２９で吸い上げられ、送気ダクト３０を介して床下空間５に送られる。なお、ここでは、屋根裏空間１２に排気ファン２９を設け、各居室１０内の空気を屋根裏空間１２に集める構造を例示したが、これに限らず、各居室１０の上部に溜まる暖気を床下空間５に送るものであれば良く、例えば、各居室１０の上部にそれぞれ排気ファン２９を設け、送気ダクト３０を介して床下空間５に送るようにしても良い。またこれ以外に、排気ファン２１の吸い込みのみで空気の流れを発生させることも可能である。
【００２９】
さらに、屋根裏空間１２には吸気ファン３１が設けられている。そして、この吸気ファン３１に接続され、一端が建物本体４の南側の軒下に開口され、他端が前記送気ダクト３０に連結された吸気ダクト３２が配設されている。この吸気ダクト３２は軒下に限らず棟部に配設されても良い。なお、この吸気ダクト３２は、アルミ合金等、熱交換性が高くかつ有害物質を放出しない材質からなり、蛇腹状に形成されている。これにより、冬は太陽光による加熱、夏は放射冷却を利用する熱交換型温調システムを構成している。したがって、この吸気ダクト３２により外気は熱交換されて床下空間５に送られるので、新たな集熱面等を設けることなく低コストで蓄熱効果を上げると共に、後述する地熱交換の補助をすることができる。なお、この吸気ファン３１は、図示しないタイマーと温度センサーを用いて、冬は昼間、夏は夜間に作動させるようにしても良い。
【００３０】
床下空間５の地中には熱橋３が埋設されている。この熱橋３としては、熱伝導性を考慮し、アルミ合金や銅等の金属やこれらの金属が混入されたコンクリート等からなっている。また、この熱橋３に接続される基礎２の一部（図中水平部）に熱交換面が構成されている。さらに、この熱交換面の効率を上げるため、基礎２の表面に割栗石、木炭、セラミック炭等を配設するのが良い。なお、ベタ基礎の場合は、このように基礎２と熱交換面が同一となるが、布基礎のような場合は熱交換面を別途設けることも可能である。従来から地中にコンクリート製やアルミ系のパイプを埋設し、このパイプの中に空気を流して地熱を利用する方法があるが、パイプ内に水、塵、雑菌等が溜まるという問題があり好ましくない。ここで、地下水によって熱が奪われる恐れがあるため、熱橋３は、地下水位がから少なくとも２ｍ離して埋設されるのが好ましい。例えば、地下水位が５ｍの場合は、熱橋３は３ｍ以内に設定されるのが好ましい。こうした基礎２および熱橋３を採用することにより、その熱、すなわち、基礎２に蓄積された熱および地熱を床下空間５に導くことができる。そして、屋根裏空間１２で集められた空気がこの床下空間５に送られることにより熱交換され、この空気が、図１の白矢印で示すように、内側通気路１７、すなわち、内壁通気路１８と床通気路１９等に送られ、輻射および熱伝導により各居室１０の冷暖房を行った後、最終的に屋根裏通気路２０を介して上部排気室１３から屋外に放出される。したがって、建物本体４の内部の換気が好適になされると共に、結露による土台の腐敗や、居室１０内におけるカビやダニの発生を防止することができる。また、効率的で均一な冷暖房がなされ、従来の蓄熱システムに比べ、工事費や設備費が嵩むことがなく、また季節によってシステム管理を変更することもなく、建物の維持管理を低コストに抑え、かつ有効な蓄熱システムが得られ、環境空間を快適に維持することができる建物の換気システムを提供することができる。
【００３１】
このように、エアコン３３がない場合、各居室１０内の温度に比べ、夏場の昼間は内側通気路１７内の方が低く、冬場の夜は逆に内側通気路１７内の方が高くなる。そのため、内壁７を通して輻射冷暖房がなされ、居室１０内の温度に比べ実際の体感温度は過ごし易い状態になる。必要に応じて、夏は屋根裏空間１２に設置されたエアコン３３を補助冷暖房として利用し、低コストな夜間電力で作動させ、床下空間５に蓄熱する。また、床下空間５の湿度が上がるような場合には、このエアコン３３で除湿することも可能である。なお、エアコン３３は、屋根裏空間１２に限らず、一階に設置されても、また、屋根裏空間１２と一階、あるいはその他の場所に設置されても良い。
【００３２】
次に、地熱交換について具体的に詳述する。
１．夏の昼間は、基礎２および熱橋３の冷熱を利用して内側通気路１７より冷却する。この場合、基礎２の表面が温度上昇する。なお、そこに結露する恐れがある場合は必要に応じてエアコン３３を使用する。
２．夏の夜間は、居室１０内よりも外気の方が低温な場合が多いため、外気を積極的に取り入れて基礎２の表面の温度を冷やす。この補助として軒下の吸気ダクト３２による熱交換型温調システムが有効である。熱帯夜のような場合は、適宜エアコン３３を作動させるのが好ましい。
３．冬の昼間は、各居室１０に日射が差し込み温度が上昇するが、その熱を気流に乗せて基礎２の表面へと蓄熱する。この時、この補助として軒下の吸気ダクト３２による熱交換型温調システムが有効である。
４．冬の夜間は、断熱して基礎２で蓄熱された熱を利用して温度を維持する。必要に応じて適宜エアコン３３による暖房を利用するのが好ましい。
【００３３】
基礎２および熱橋３からなる床下空間５での熱交換は、蓄熱量が大きい基礎コンクリートを利用しているため、居室１０に比べ温度変化は緩慢となり、居室１０内の温度変化に対して略５〜８時間のずれが見込まれる。この特性を利用し、内側通気路１７内の空気の温度に応じて熱交換、すなわち、各居室１０に熱を与えたり、あるいは奪ったりして温度調節をする。また、基礎２自体の蓄熱量もさることながら、本実施形態に係る熱交換は、大地という巨大な熱源により、温度差に略５ヶ月のずれが生じ、これにより安定的な温度を維持することができる。さらに安定化するためには、第一種換気として、各居室１０への吸気と排気との熱交換を行い、流入する空気の温度を居室１０内の温度に近付けても良い。
【００３４】
本実施形態では、図１の黒矢印で示すように、外気の流れはワンパス方式の一方向とし、循環させずに各居室１０内の空気を床下空間５に送るようにしたので、建材等から放出される有害物質や地中からのラドンが循環しないだけでなく、必要以上に居室１０と床下空間５との温度差を広げることはない。このことは一階の床８における夏場の結露防止に有効であると共に、冬場は、昼間に導かれた太陽熱を床下空間５へと蓄熱し、夜間の寒さに備えることができる。
【００３５】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３６】
本発明に係る建物の換気システムは、高気密・高断熱構造を有する建物に適用できる。
【図面の簡単な説明】
【００３７】
【図１】本発明に係る建物の換気システムの一実施形態を示す断面図である。
【図２】同上、屋根裏空間を示す平面図である。
【図３】従来の建物の換気システムを示す断面図である。
【符号の説明】
【００３８】
１・・・・・・・・建物
２・・・・・・・・基礎
３・・・・・・・・熱橋
４・・・・・・・・建物本体
５・・・・・・・・床下空間
６・・・・・・・・間仕切壁
７・・・・・・・・内壁
８・・・・・・・・床
９・・・・・・・・天井
１０・・・・・・・居室
１１・・・・・・・屋根
１２・・・・・・・屋根裏空間
１３・・・・・・・上部排気室
１４・・・・・・・外壁
１５・・・・・・・断熱材
１６・・・・・・・外気通路
１７・・・・・・・内側通気路
１８・・・・・・・内壁通気路
１９・・・・・・・床通気路
２０・・・・・・・屋根裏通気路
２１、２９・・・・排気ファン
２２、２３・・・・梁
２２ａ、２６ａ・・切欠き
２３ａ・・・・・・切欠き
２４・・・・・・・外気導入口
２５・・・・・・・壁開口部
２６・・・・・・・土台
２８・・・・・・・排気口
３１・・・・・・・吸気ファン
３０・・・・・・・送気ダクト
３２・・・・・・・吸気ダクト
３３・・・・・・・エアコン
５１・・・・・・・建物
５２・・・・・・・屋根裏
５２ａ・・・・・・屋根裏空間
５３・・・・・・・強制排出装置
５４・・・・・・・室
５４ａ・・・・・・室内空間
５５・・・・・・・外壁
５６・・・・・・・間仕切壁
５７・・・・・・・屋根
５８・・・・・・・床
５９・・・・・・・断熱材
６０・・・・・・・排気口
６１・・・・・・・床板
６２・・・・・・・開口部
６３・・・・・・・床通気路
６４・・・・・・・外壁通気路
６５・・・・・・・間仕切壁通気路
６６・・・・・・・二重床
【図１】
2005163482.tif 000003
【図２】
2005163482.tif 000004
【図３】
2005163482.tif 000005